(57)【要約】【課題】小動物に対する忌避効果を持続でき、また、設置と撤去が簡単で、取扱いが便利な小動物撃退具を提供する。【解決手段】小動物に対する忌避効果のある忌避剤２を塗布した板状体３を、取付器具７により、建物９の桁、梁、柱、屋根などの建物９の一部に設置する。また、圃場などでは、支柱からなる屋外設置物１７に取付可能とする。板状体３には忌避剤２の塗布面を密閉する蓋体４を着脱可能に装着する。忌避剤２はクレオソート油からなる。【選択図】図１
0003122735.tif 000002
【実用新案登録請求の範囲】
【請求項１】
小動物に対する忌避効果のある忌避剤を、不浸透性の板状体の上に塗布し、該板状体を、取付器具により、建物の一部または屋外設置物に取付可能とした小動物撃退具。
【請求項２】
忌避剤の塗布面を密閉する蓋体を板状体に着脱可能に装着した、請求項１記載の小動物撃退具。
【請求項３】
板状体が動物の形をしており、支柱からなる屋外設置物に対して取付けられている、請求項１または請求項２記載の小動物撃退具。
【請求項４】
忌避剤はクレオソート油からなる請求項１ないし請求項３に記載の小動物撃退具。
【考案の詳細な説明】
【技術分野】
【０００１】
本考案は、小動物による被害、例えば鳩の糞、烏による生ごみの食い散らかし、雀等による農作物の食い荒らし等の被害を防止し、また、蠅や蚊の寄付きを防止することのできる、小動物の撃退具に関するものである。
【背景技術】
【０００２】
従来より、小動物による被害、例えば鳩の糞、烏による生ごみの食い散らかし、雀等による農作物の食い荒らし等の被害が発生しており、民家やマンションでは、鳩や蝙蝠等の糞によって民家の屋根や壁、床が汚されたり、マンションのベランダに干した洗濯物が汚されたり、悪臭、粉塵による問題がある。また、ごみ集積所では、一般家庭等から出される生ごみ類を入れたビニール袋やごみ容器を集積し、決められた日時に巡回してくるごみ回収車によって回収しているが、ごみ収集場所に人の気配がなくなると、烏が生ごみから発生する臭気を感じて集まり、ビニール袋から生ごみを引き出して食い散らかし、その結果、ごみ収集場所の周囲に悪臭を放ち、衛生状態を悪くするという問題を引起こしていた。さらに、農家では、農作物の収穫時期になると、雀や椋鳥等が飛来して、稲や果樹類等の農作物を食い荒らすという多大な被害があった。
【０００３】
このため、従来より、これらの害鳥を撃退する方法として、たとえば、マンションのベランダの手すりに絵を描いた風船を吊るして、鳩を驚かせて再度来ないようにするとか、ごみ集積所に防鳥ネットを被せるようにするとか、田や畑に鷹などの猛禽に似せた模型や、光反射板を取付けた目玉模型を風力で動かすようにしたもの等を設置する、などの方法が試みられている。しかしながら、当初は効果を発揮するものの、次第に慣れてしまうと効果が殆どなくなってしまうという問題があった。また、ごみ集積所での防鳥ネットは、被せる作業が面倒で実行が伴わない場所があったり、ネットの隙間から烏の侵入を許してしまうという問題があった。
【０００４】
そこで、かかる被害を効果的に防ぐ方法として、有害動物が忌避する臭いを発散する忌避塗料を、ごみ袋やごみ容器に塗布し、あるいは建物に直接塗布して、忌避効果を持続させるようにした技術が知られている（特許文献１）。
【０００５】
【特許文献１】特開２０００−２１２４７７号
【考案の開示】
【考案が解決しようとする課題】
【０００６】
しかしながら、特許文献１の技術は、ごみ袋に忌避塗料を塗布すると、ごみ袋から臭いが２４時間発生し続け、使用前のごみ袋を一般家庭等屋内に保管し難く、屋内に保管するとその臭いにより住環境が悪化する問題がある。また、忌避塗料を建物塗布する場合は、木材に直接塗布すると、忌避塗料が木材内部に浸透して、次第に忌避効果が薄れてしまい、木材以外や下地の上に塗布して臭気効果を持続させると、鳩や烏等が寄り付かなくなった後も臭気効果が持続して、居住者にとっては困ることになる。特に新築の建物に忌避塗料を塗布するのは建主の心情として難しい。
【０００７】
本考案は前記課題に鑑みてなされたもので、小動物に対する忌避効果を持続でき、また、設置と撤去が簡単で、取扱いが便利な小動物撃退具を提供することを目的とする。
【０００８】
また、使用前や使用後は蓋をして臭気の発散を抑制することができる小動物撃退具を提供することを目的とする。
【課題を解決するための手段】
【０００９】
前記課題を解決するために、本考案の請求項１に係る小動物撃退具は、小動物に対する忌避効果のある忌避剤を、不浸透性の板状体の上に塗布し、該板状体を、取付器具により、建物の一部または屋外設置物に取付可能としたことを特徴とする。
【００１０】
請求項１に係る小動物撃退具によると、小動物に対する忌避効果のある忌避剤を、不浸透性の板状体の上に塗布して、忌避剤の忌避効果を持続させることができる。また、取付器具によって、忌避剤を塗布した板状体からなる小動物撃退具を、建物の一部または屋外設置物に対し、簡単に設置しおよび設置後に撤去することができる。例えば、一つの建物において、忌避剤の効果によって、鳩や烏がその止まる場所を変えるとき、撃退具の設置場所もこれに合わせて変えることにより、ついには建物全体に寄り付かないように撃退することができる。
【００１１】
小動物撃退具の設置場所を例示すると、建物の場合、鳩、烏、蝙蝠などが止まりやすい軒先の桁、梁の他、桁と梁の間の柱、屋根の上などが考えられる。屋外設置物としては稲田や畑、果樹園などの圃場内に支柱を立て、この支柱に小動物撃退具を取付器具で設置する。
【００１２】
本考案の請求項２に係る小動物撃退具は、忌避剤の塗布面を密閉する蓋体を板状体に着脱可能に装着したことを特徴とする。
【００１３】
使用前や使用後には忌避剤の塗布面に蓋をして臭気の発散を遮断することができ、使用時には蓋を外して小動物に対する忌避効果を持続させることができる。これにより、蓋体をした状態で店頭で販売したり、室内で保管することができる。また、使用時には蓋体を開けて臭気を発散させ、忌避対象の小動物が、小動物撃退具の設置場所を中心として、周囲に寄り付かなくなった場合には、再び蓋体で密閉して保管し、次の使用機会に備えることができる。
【００１４】
本考案の請求項３に係る小動物撃退具は、板状体が動物の形をしており、支柱からなる屋外設置物に対し取付けられていることを特徴とする。
【００１５】
板状体を、例えば、猛禽に似せた動物の形とすることにより、忌避剤の効果と合わせて圃場からの小動物の撃退効果を上げることができる。
【００１６】
本考案の請求項４に係る小動物撃退具は、忌避剤がクレオソート油からなることを特徴とする。
【００１７】
クレオソート油は、石炭を乾留して得られるコールタールを約２００〜４００℃で蒸留し、その留出油からナフタレン等を回収した残留油を配合して得られる。防腐効果の他、防虫効果も奏するので、農作業やキャンプ場において蚊や蠅の寄付きを防ぐことができる。
【考案の効果】
【００１８】
以上説明したように、本考案に係る小動物撃退具は、小動物に対する忌避効果のある忌避剤を、不浸透性の板状体の上に塗布することで、忌避剤の忌避効果を持続させることができ、また、取付器具によって、忌避剤を塗布した板状体を、建物の一部または屋外設置物に対し、簡単に設置することができ、また、設置後に簡単に撤去することができ、取扱いが非常に便利であるという効果を奏する。
【００１９】
また、本考案に係る小動物撃退具は、忌避剤の塗布面を密閉する蓋体を板状体に着脱可能に装着したから、使用前や使用後には忌避剤の塗布面に蓋をして臭気の発散を抑制することができ、使用時には蓋を外して小動物に対する忌避効果を持続させることができる効果を奏する。
【考案を実施するための最良の形態】
【００２０】
考案を実施するための最良の形態を図１ないし図４を参照して説明する。これらの図に示すように、本考案の小動物撃退具１は、上面に小動物に対する忌避効果のある、クレオソート油からなる忌避剤２を塗布した板状体３と、忌避剤２の塗布面を上から密閉する蓋体４とから構成されている。
【００２１】
板状体３は、軽量で不浸透性のある合成樹脂製からなり、上から見て長方形の支持板５の上に幅寸法の短い基板６が固定されたもので、この基板６の上面に前記忌避剤２が塗布されている。支持板５の周囲には取付器具７（図３参照）を挿通するための小孔８が左右および上下の複数箇所に穿設されている。基板６は軽量発砲スチロール材から形成されてもよい。
【００２２】
蓋体４は、蓋体４の内周面を基板６の側周面全体に密着するようにして、上から基板６に装着するもので、図２に示すように、蓋体４の内周面に形成された係合凹部４ａと基板６の側周面の周囲に形成された係合凸部６ａとを互いに係合させるようになっている。この蓋体４の内周面には密閉性を高めるゴムパッキンを設けるようにしてもよい。かかる蓋体４は、係合凹部４ａ、係合凸部６ａ同士を係合および解除して、基板６に対し着脱可能に装着できるようになっている。
【００２３】
図３は、以上の構成からなる小動物撃退具１を、蓋体４を外した状態で、建物９の軒先の桁１０の上面に、針金からなる取付器具７により取付固定した例を示している。小動物撃退具１は、必要に応じて桁１０の上に１個または間隔を置いて複数個設置してよい。図３に示す場合の小動物撃退具１の支持板５の幅寸法は、桁１０の上面の幅寸法と略同一か少し大きい寸法とすると、桁１０の上面に取り付け易い。針金からなる取付器具７の両端を桁１０の下面から両側面に沿わせて桁１０の上面に設置した板状体３の左右両端の小孔８に挿通し、折り曲げるようにする。これにより、小動物撃退具１を桁１０の上に取付固定する。針金からなる取付器具７を用いて、小動物撃退具１を桁１０の上に簡単に設置することができる。支持板５の下面は平らなので、桁１０の上面に安定支持させることができる。
【００２４】
図３は桁１０の上面に小動物撃退具１を取り付けた例であるが、桁１０に吊り下げることもできるし、桁１０を支える柱１１に対し、取付器具７を用いて垂直に取付設置することもでき、高い小屋梁の支持材に斜めに取付けることもできる。また、屋根１２の上に設置することもできる。
【００２５】
さらに、マンションなどの集合住宅の場合、ベランダの手すりの形状に合わせて板状体３の形状を合わせ、手すりに取付器具７で取付けたり、階段踊り場の高い位置にあるメーターボックス上に設置して、燕がメーターボックス上に巣を作るのを防ぐこともできる。
【００２６】
図４は、上記構成の小動物撃退具１を、ごみ集積ステーション１３のフェンス１４にＳ字フックからなる取付器具１５により吊下げた例を示している。小動物撃退具１の支持板５の上側の小孔８にＳ字フックからなる取付器具１５を係止し、この取付器具１５をフェンス１４に引っ掛けて吊下げるようにする。ごみ集積ステーション１３は、大きさが大小あるので、これに合わせて小動物撃退具１の大きさを適宜変更することができる。
【００２７】
図５は、圃場１６に立てられた支柱１７の上端に、板状体３’を鷹の形にした小動物撃退具１８を風力によって旋回可能に設置した例を示している。忌避剤２は頭部を除く大部分の片面または両面に塗布するようにする。板状体３’の形は、図示例の他、鷲、鳶、鴎、梟、鶏などの動物の形が考えられるが、これらの形に限られない。支柱１７をコンクリートや樹脂製のブロックの上に立てることで、支柱１７を移動させ、図４に示すごみ集積ステーション１３のフェンス１４近くに設置することもできる。
【００２８】
以上説明した小動物撃退具１、１８は、鳩、烏、雀などの鳥類の他、犬、猫、鼠などのその他の小動物の撃退用に用いることができる。また、忌避剤２として用いるクレオソート油は、防虫効果があるので、キャンプ場でテントに吊下げる等して用いると、蚊、蠅などの害虫や蛾などが寄りつかず、快適に過ごせるという効果を奏する。
【００２９】
本考案の小動物撃退具１、１８を用いれば、簡単に設置および撤去が可能であり、鳩や烏等が飛来すれば適切な場所に速やかに設置することができ、それらが飛来しなくなれば速やかに撤去して、蓋体４をすることで臭気を気にすることなく室内や物置に保管することができる。
【産業上の利用可能性】
【００３０】
本考案は、鳩、烏、雀などの害鳥や、蚊、蠅などの害虫などの小動物を忌避して撃退できる小動物撃退具として利用することができる。
【図面の簡単な説明】
【００３１】
【図１】本考案の小動物撃退具を示すもので、板状体から蓋体を外した状態を示す斜視図である。
【図２】図１の板状体に蓋体を被せた状態を示す側断面図である。
【図３】図１の小動物撃退具を民家の建物の桁の上に設置した状態を示す図である。
【図４】図１の小動物撃退具をごみ集積ステーションのフェンスに吊下げた状態を示す図である。
【図５】本考案の別の小動物撃退具を示すもので、圃場に立てた支柱に設置した状態を示す図である。
【符号の説明】
【００３２】
１、１８  小動物撃退具
２  忌避剤
３、３’  板状体
４  蓋体
４ａ  係合凹部
５  支持体
６  基板
６ａ  係合凸部
７、１５  取付器具
８  小孔
９  建物
１０  桁
１１  柱
１２  屋根
１３  ごみ集積ステーション
１４  フェンス
１６  圃場
１７  支柱
【図１】
0003122735.tif 000003
【図２】
0003122735.tif 000004
【図３】
0003122735.tif 000005
【図４】
0003122735.tif 000006
【図５】
0003122735.tif 000007